(57)【要約】      （修正有）【課題】投稿者によって投稿された動画データを、視聴を希望する視聴者に配信すること。【解決手段】動画配信システムは、投稿者端末から動画データの投稿を受け付ける投稿受付手段と、投稿を受け付けた動画データを、投稿者であるユーザーを特定するためのユーザー情報に関連付けて記憶手段に記録する記録制御手段と、視聴者端末からの要求に応じて、記録されている動画データを視聴者端末へ配信して、視聴者端末で動画データを再生させる動画再生手段と、視聴者によって動画データが視聴されたときに、ユーザーを特定するためのユーザー情報に関連付けられて記録されている視聴ポイントから、視聴された動画データに応じた消費ポイント数を減算するポイント減算手段と、視聴者によって動画データが視聴された時に、ユーザー情報に関連付けられて記憶手段に記録されている投稿ポイントに、視聴された動画データに応じた獲得ポイント数を加算する手段を備える。【選択図】図１
2013157784.tif 000002
【特許請求の範囲】
【請求項１】
投稿者であるユーザーが操作する投稿者端末から、動画データの投稿を受け付ける投稿受付手段と、
前記投稿受付手段によって投稿を受け付けた前記動画データを、前記投稿者であるユーザーを特定するためのユーザー情報に関連付けて記憶手段に記録する記録制御手段と、
視聴者であるユーザーが操作する視聴者端末からの要求に応じて、前記記憶手段に記録されている前記動画データを前記視聴者端末へ配信して、前記視聴者端末で動画データを再生させる動画再生手段と、
前記動画再生手段によって前記動画データが配信されて前記視聴者によって前記動画データが視聴されたときに、前記視聴者であるユーザーを特定するためのユーザー情報に関連付けられて前記記憶手段に記録されている視聴ポイントから、視聴された前記動画データに応じた消費ポイント数を減算するポイント減算手段と、
前記動画再生手段によって前記動画データが配信されて前記視聴者によって前記動画データが視聴されたときに、視聴された前記動画データの投稿者を特定するためのユーザー情報に関連付けられて前記記憶手段に記録されている投稿ポイントに、視聴された前記動画データに応じた獲得ポイント数を加算するポイント加算手段とを備えることを特徴とする動画配信装置。
【請求項２】
請求項１に記載の動画配信装置において、
一人のユーザーが前記視聴ポイントと前記投稿ポイントの両方を有する場合には、前記視聴ポイントと前記投稿ポイントは、該ユーザーを特定するための前記ユーザー情報に関連付けて、それぞれ区別して前記記憶手段に記録されることを特徴とする動画配信装置。
【請求項３】
請求項１または２に記載の動画配信装置において、
前記消費ポイント数は、前記動画データの過去の視聴回数に応じて設定されており、
前記ポイント減算手段は、視聴された前記動画データに対して設定されている前記消費ポイント数を特定し、前記記憶手段に記録されている視聴ポイントのポイント数から、特定した前記消費ポイント数を減算することを特徴とする動画配信装置。
【請求項４】
請求項３に記載の動画配信装置において、
設定されている前記消費ポイント数を最大値として、前記投稿者であるユーザーからの前記消費ポイント数の変更を受け付ける消費ポイント数受付手段と、
前記動画データの過去の視聴回数に応じて設定されている前記消費ポイント数を、前記消費ポイント数受付手段が受け付けた前記消費ポイント数に変更する消費ポイント数変更手段とをさらに備えることを特徴とする動画配信装置。
【請求項５】
請求項３または４のいずれか一項に記載の動画配信装置において、
前記獲得ポイント数としては、前記消費ポイント数に所定の割合を乗じたポイント数が設定されており、
前記ポイント加算手段は、視聴された前記動画データに対して設定されている前記獲得ポイント数を特定し、前記記憶手段に記録されている投稿ポイントのポイント数に、特定した前記獲得ポイント数を加算することを特徴とする動画配信装置。
【請求項６】
請求項１〜４のいずれか一項に記載の動画配信装置において、
前記獲得ポイント数は、前記動画データの過去の視聴回数に応じて設定されており、
前記ポイント加算手段は、視聴された前記動画データに対して設定されている前記獲得ポイント数を特定し、前記記憶手段に記録されている投稿ポイントのポイント数に、特定した前記獲得ポイント数を加算することを特徴とする動画配信装置。
【請求項７】
請求項１〜６のいずれか一項に記載の動画配信装置において、
前記ユーザーからの前記視聴ポイントのチャージを受け付けるチャージ受付手段と、
前記チャージ受付手段によってチャージを受け付けた前記視聴ポイントのポイント数を、チャージを受け付けたユーザーのユーザー情報に関連付けて記録されている視聴ポイントのポイント数に加算する視聴ポイント加算手段をさらに備えることを特徴とする動画配信装置。
【請求項８】
請求項７に記載の動画配信装置において、
前記チャージ受付手段は、前記ユーザーからの指示に基づいて、前記投稿ポイントを前記視聴ポイントに振り替えることにより、前記視聴ポイントのチャージを受け付けることを特徴とする動画配信装置。
【請求項９】
請求項７に記載の動画配信装置において、
前記チャージ受付手段は、前記ユーザーによる決済に基づいて前記視聴ポイントのチャージを受け付けることを特徴とする動画配信装置。
【請求項１０】
請求項１〜９のいずれか一項に記載の動画配信装置において、
前記動画データは、前記視聴ポイントを消費せずに視聴できる無料動画と、前記視聴ポイントを消費して視聴可能な有料動画とを含み、
会員登録を行っていない非会員には、前記無料動画の視聴のみを許可し、会費の支払いが課されない無料会員には、前記無料動画の投稿および視聴を許可し、会費の支払いが課される有料会員には、前記有料動画と前記無料動画の投稿および視聴を許可する視聴制御手段をさらに備えることを特徴とする動画配信装置。
【請求項１１】
請求項１０に記載の動画配信装置において、
前記視聴制御手段は、前記有料会員に対しては、一定期間内に所定数の有料動画を前記消費ポイントを消費せずに視聴を許可することを特徴とする動画配信装置。
【請求項１２】
請求項１０または１１に記載の動画配信装置において、
前記視聴制御手段は、前記有料会員に対しては、一度視聴した有料動画は、その後一定期間内に限り前記消費ポイントを消費せずに再視聴を許可することを特徴とする動画配信装置。
【請求項１３】
請求項１０〜１２のいずれか一項に記載の動画配信装置において、
前記視聴制御手段は、前記有料会員に対して、前記有料動画の全視聴時間のうちの一部の視聴時間に限り、前記消費ポイントを消費せずに視聴を許可することを特徴とする動画配信装置。
【請求項１４】
請求項１０〜１３のいずれか一項に記載の動画配信装置において、
前記有料会員が有する視聴ポイントから、所定期間ごとに所定数のポイントを減算して会費を徴収する会費徴収手段をさらに備えることを特徴とする動画配信装置。
【請求項１５】
請求項１４に記載の動画配信装置において、
前記会費徴収手段は、前記有料会員が有する視聴ポイント数が、会費として聴取するポイント数に満たない場合であって、該有料会員が前記投稿ポイントを有している場合には、前記視聴ポイント数が会費として徴収するポイント数を満たすように、前記投稿ポイントを前記視聴ポイントに振り替えた後に、前記視聴ポイントから所定数のポイントを減算して会費を徴収することを特徴とする動画配信装置。
【請求項１６】
請求項１〜１５に記載の動画配信装置において、
前記ユーザー情報に関連付けられて記録されている前記投稿ポイントに応じたリベート額を算出するリベート額算出手段と、
前記リベート額算出手段によって算出された額のリベートを、前記ユーザーが指定する金融機関の口座へ送金する送金手段とをさらに備えることを特徴とする動画配信装置。
【請求項１７】
投稿者であるユーザーが操作する投稿者端末から、動画データの投稿を受け付ける投稿受付手段と、
前記投稿受付手段によって投稿を受け付けた前記動画データを、前記投稿者であるユーザーを特定するためのユーザー情報に関連付けて記録する動画データ記録手段と、
視聴者であるユーザーが操作する視聴者端末からの要求に応じて、前記動画データ記録手段に記録されている前記動画データを前記視聴者端末へ配信して、前記視聴者端末で動画データを再生させる動画再生手段と、
前記視聴者であるユーザーを特定するためのユーザー情報に関連付けて記録され、前記動画再生手段によって前記動画データが配信されたときに減算される視聴ポイントのポイント数と、前記投稿者であるユーザーを特定するためのユーザー情報に関連付けて記録され、前記動画再生手段によって前記動画データが配信されたときに加算される投稿ポイントのポイント数とを区別して記録するポイントデータ記録手段と、
前記動画再生手段によって配信された前記動画データに応じて、前記視聴ポイントの消費ポイント数を特定する消費ポイント数特定手段と、
前記消費ポイント数特定手段によって特定された前記消費ポイント数を、前記動画データを視聴した視聴者の前記ユーザー情報に関連付けて前記ポイントデータ記録手段に記録されている前記視聴ポイントのポイント数から減算して更新する視聴ポイント更新手段と、
前記動画再生手段によって配信された前記動画データに応じて、前記投稿ポイントの獲得ポイント数を特定する獲得ポイント数特定手段と、
前記獲得ポイント数特定手段によって特定された前記獲得ポイント数を、視聴された動画データの投稿者の前記ユーザー情報に関連付けて前記ポイントデータ記録手段に記録されている前記投稿ポイントのポイント数に加算して更新する投稿ポイント更新手段とを備えることを特徴とする動画配信システム。
【発明の詳細な説明】
【技術分野】
【０００１】
本発明は、動画配信装置、および動画配信システムに関する。
【背景技術】
【０００２】
次のような動画共有システムが知られている。この動画共有システムは、ユーザーが選択した動画をユーザー端末装置でエンコードした後にサーバーへアップロードし、サーバーは、他のユーザー装置端末からの要求に応じて、動画を再生する（例えば、特許文献１）。
【先行技術文献】
【特許文献】
【０００３】
【特許文献１】特開２００８−３０１４４２号公報
【発明の概要】
【発明が解決しようとする課題】
【０００４】
しかしながら、従来の動画共有システムでは、動画をアップロードするいわゆる投稿者にとって、動画の制作や投稿の励みとなるような仕組みが何ら検討されていないため、投稿数の増加、およびシステムの利用活性化を促すのが困難であった。
【課題を解決するための手段】
【０００５】
本発明による動画配信装置は、投稿者であるユーザーが操作する投稿者端末から、動画データの投稿を受け付ける投稿受付手段と、投稿受付手段によって投稿を受け付けた動画データを、投稿者であるユーザーを特定するためのユーザー情報に関連付けて記憶手段に記録する記録制御手段と、視聴者であるユーザーが操作する視聴者端末からの要求に応じて、記憶手段に記録されている動画データを視聴者端末へ配信して、視聴者端末で動画データを再生させる動画再生手段と、動画再生手段によって動画データが配信されて視聴者によって動画データが視聴されたときに、視聴者であるユーザーを特定するためのユーザー情報に関連付けられて記憶手段に記録されている視聴ポイントから、視聴された動画データに応じた消費ポイント数を減算するポイント減算手段と、動画再生手段によって動画データが配信されて視聴者によって動画データが視聴されたときに、視聴された動画データの投稿者を特定するためのユーザー情報に関連付けられて記憶手段に記録されている投稿ポイントに、視聴された動画データに応じた獲得ポイント数を加算するポイント加算手段とを備えることを特徴とする。
本発明による動画配信システムは、投稿者であるユーザーが操作する投稿者端末から、動画データの投稿を受け付ける投稿受付手段と、投稿受付手段によって投稿を受け付けた動画データを、投稿者であるユーザーを特定するためのユーザー情報に関連付けて記録する動画データ記録手段と、視聴者であるユーザーが操作する視聴者端末からの要求に応じて、動画データ記録手段に記録されている動画データを視聴者端末へ配信して、視聴者端末で動画データを再生させる動画再生手段と、視聴者であるユーザーを特定するためのユーザー情報に関連付けて記録され、動画再生手段によって動画データが配信されたときに減算される視聴ポイントのポイント数と、投稿者であるユーザーを特定するためのユーザー情報に関連付けて記録され、動画再生手段によって動画データが配信されたときに加算される投稿ポイントのポイント数とを区別して記録するポイントデータ記録手段と、動画再生手段によって配信された動画データに応じて、視聴ポイントの消費ポイント数を特定する消費ポイント数特定手段と、消費ポイント数特定手段によって特定された消費ポイント数を、動画データを視聴した視聴者のユーザー情報に関連付けてポイントデータ記録手段に記録されている視聴ポイントのポイント数から減算して更新する視聴ポイント更新手段と、動画再生手段によって配信された動画データに応じて、投稿ポイントの獲得ポイント数を特定する獲得ポイント数特定手段と、獲得ポイント数特定手段によって特定された獲得ポイント数を、視聴された動画データの投稿者のユーザー情報に関連付けてポイントデータ記録手段に記録されている投稿ポイントのポイント数に加算して更新する投稿ポイント更新手段とを備えることを特徴とする。
【発明の効果】
【０００６】
本発明によれば、投稿者は、自身が投稿した動画データが再生されたときに獲得ポイントが付与されるため、それを動画の制作や投稿の励みとすることができ、投稿数の増加、およびシステムの利用活性化に繋げることができる。
【図面の簡単な説明】
【０００７】
【図１】動画公開システム１０の一実施の形態の構成を示すブロック図である。
【図２】動画公開用サーバー３１０の一実施の形態の構成を示すブロック図である。
【図３】動画変換用サーバー３２０の一実施の形態の構成を示すブロック図である。
【図４】動画記録用サーバー３３０の一実施の形態の構成を示すブロック図である。
【図５】会員登録受付処理の流れを示すフローチャート図である。
【図６】動画の過去の視聴回数に応じて設定された消費ポイント数と獲得ポイント数の一例を示す図である。
【図７】動画投稿受付処理の流れを示すフローチャート図である。
【図８】動画配信処理の流れを示すフローチャート図である。
【図９】ポイント管理処理の流れを示すフローチャート図である。
【発明を実施するための形態】
【０００８】
図１は、本実施の形態における動画公開システムの一実施の形態の構成を示すブロック図である。動画公開システム１０は、動画データの投稿者によって操作される投稿者端末１００と、動画データの視聴者によって操作される視聴者端末２００と、動画配信システム３００とが、インターネット等の通信回線を介して接続されている。
【０００９】
投稿者端末１００と視聴者端末２００としては、例えば、パーソナルコンピュータ（以下、「パソコン」と呼ぶ）の他、スマートフォン、携帯電話、タブレット端末といった種々の情報端末が用いられる。投稿者端末１００と視聴者端末２００として用いられるこれらの機器は公知のため、ここでは詳細な説明は省略する。なお、本実施の形態では、投稿者端末１００と視聴者端末２００とを区別して扱うが、一人のユーザーが投稿者と視聴者の両方になり得る可能性もあり、この場合には、実質的には投稿者端末１００と視聴者端末２００とは、同一の端末となる。
【００１０】
本実施の形態における動画公開システム１０では、動画データの投稿者は、投稿者端末１００を操作して、自身が撮影または作成した動画データを動画配信システム３００へアップロードすることにより動画データを投稿することができる。また動画データの視聴者は、視聴者端末２００を操作して、動画配信システム３００から配信される動画データを視聴することができる。以下、本実施の形態における動画配信システム３００について、詳細に説明する。
【００１１】
動画配信システム３００は、動画公開用サーバー３１０と、動画変換用サーバー３２０と、動画記録用サーバー３３０とを備えており、これらはインターネット、ＷＡＮ、ＬＡＮ等の通信回線で接続されている。図２〜４は、動画公開用サーバー３１０、動画変換用サーバー３２０、動画記録用サーバー３３０の一実施の形態の構成を示すブロック図である。本実施の形態では、図２〜図４に示すように、動画公開用サーバー３１０、動画変換用サーバー３２０、動画記録用サーバー３３０は、それぞれ同一の構成であるものとする。よって、ここでは、図２を用いて動画公開用サーバー３１０の構成について説明し、他のサーバーの構成については説明を省略する。
【００１２】
動画公開用サーバー３１０は、操作部材３１１と、接続ＩＦ３１２と、制御装置３１３と、ＨＤＤ（ハードディスクドライブ）３１４と、モニタ３１５とを備えている。
【００１３】
操作部材３１１は、動画公開用サーバー３１０の操作者によって操作される種々の装置、例えばキーボードやマウスを含む。
【００１４】
接続ＩＦ３１２は、動画公開用サーバー３１０をインターネット等の通信回線に接続するためのインターフェースであり、例えば、インターネットに有線で接続するための有線ＬＡＮモジュールや、インターネットに無線で接続するための無線ＬＡＮモジュールなどが用いられる。
【００１５】
制御装置３１３は、ＣＰＵ、メモリ、およびその他の周辺回路によって構成され、動画公開用サーバー３１０の全体を制御する。なお、制御装置３１３を構成するメモリは、例えばＳＤＲＡＭ等の揮発性のメモリである。このメモリは、ＣＰＵがプログラム実行時にプログラムを展開するためのワークメモリや、データを一時的に記録するためのバッファメモリとして使用される。例えば、接続ＩＦ３１２を介して読み込まれたデータは、バッファメモリに一時的に記録される。
【００１６】
ＨＤＤ３１４は、動画公開用サーバー３１０が蓄える種々のデータや、制御装置３１３が実行するためのプログラムのデータ等を記録するための記録装置である。なお、ＨＤＤ３１４に記録されるプログラムのデータは、ＣＤ−ＲＯＭやＤＶＤ−ＲＯＭなどの記録媒体に記録されて提供され、使用者が当該記録媒体を用いてプログラムのデータをＨＤＤ３１４にインストールすることによって、制御装置３１３がプログラムを実行できるようになる。
【００１７】
モニタ３１５は、例えば液晶モニタであって、制御装置３１３から出力される種々の表示用データが表示される。
【００１８】
本実施の形態では、動画配信システム３００を構成する各サーバーは、以下のような役割を担っている。動画公開用サーバー３１０は、投稿者端末１００からの動画データの投稿や視聴者端末２００からの動画データの視聴要求を受け付けるサーバーである。また、本実施の形態では、投稿者や視聴者といった動画配信システム３００のユーザーは、システムを利用するに当たって事前に会員登録を行うことができ、動画公開用サーバー３１０は、その会員登録を受け付けるための窓口としても機能する。
【００１９】
動画変換用サーバー３２０は、投稿者端末１００から投稿された動画データを、本動画配信システム３００で配信可能な動画形式に変換するためのサーバーである。投稿された動画データは、この動画変換用サーバー３００により、あらかじめ定められた表示解像度やファイル形式に変換される。
【００２０】
動画記録用サーバー３３０は、動画変換用サーバー３２０で変換が行われた後の動画データを記録するためのサーバーである。この動画記録サーバー３３０では、動画データは、投稿者を特定するための情報、例えば、会員登録が行われたユーザーに対して一意に付与されるユーザーＩＤに関連付けて、ＨＤＤ３３４内に記録される。
【００２１】
以下、図５、７、８、９に示すフローチャートを用いて、本実施の形態における動画配信システム３００が備える各サーバーでの処理について説明する。図５は、本実施の形態における会員登録受付処理の流れを示すフローチャートである。本実施の形態では、会員登録を望むユーザーは、動画公開用サーバー３１０上で運営されている会員登録用のサイトにアクセスし、サイト上で所定の会員情報を入力して動画公開用サーバー３１０へ送信することにより、会員登録を要求することができる。なお、会員の種類には、会員資格を維持するために、一定期間ごとに所定額の会費を納める必要がある有料会員と、会費を納める必要がない無料会員とがある。有料会員として会員登録を行うか、無料会員として会員登録を行うかは、ユーザーが任意に選択することができる。
【００２２】
本実施の形態では、有料会員は、例えば1か月あたり３００円の会費を支払う必要があり、有料会員として登録を行うと、視聴のために料金がかかる有料の動画データ（以下、「有料動画」と呼ぶ）の投稿及び視聴と、視聴のために料金がかからない無料の動画データ（以下、「無料動画」と呼ぶ）の投稿及び視聴とが可能となる。一方、無料会員として登録を行うと、無料動画のみの投稿及び視聴とが可能となる。さらに、会員登録を行わないユーザー（以下、「非会員」と呼ぶ）は、無料動画の視聴のみを行うことができる。
【００２３】
図５に示す処理は、投稿者端末１００または視聴者端末２００を介して、ユーザーからの会員登録要求を受け付けると起動するプログラムとして、動画公開用サーバー３１０の制御装置３１３によって実行される。
【００２４】
ステップＳ１０において、制御装置３１３は、投稿者端末１００または視聴者端末２００から送信された会員情報を受信する。会員情報には、例えば、ユーザーの住所、氏名、連絡先等の基本情報とともに、有料会員と無料会員のいずれかを示す情報、ユーザーが後述する視聴ポイントをチャージするときの決済方法を示す決済情報、後述する投稿者に対するリベートの振込先となる口座情報等が含まれる。
【００２５】
その後、ステップＳ２０へ進み、制御装置３１３は、新規にユーザーＩＤとパスワードを発行する。ユーザーＩＤには既存の会員と重複しない一意の文字列が設定され、パスワードにはランダムに選択された文字列が設定される。その後、ステップＳ３０へ進む。
【００２６】
ステップＳ３０では、制御装置３１３は、ステップＳ２０で発行したユーザーＩＤとパスワードを、会員登録の要求元である投稿者端末１００または視聴者端末２００へ送信し、ユーザーに通知する。その後、ステップＳ４０へ進む。
【００２７】
ステップＳ４０では、制御装置３１３は、ステップＳ２０で発行したユーザーＩＤとパスワードを、そのユーザーの会員情報と関連付けて、ＨＤＤ３１４内の会員ＤＢに登録する。その後、処理を終了する。
【００２８】
上記処理によって会員登録を行ったユーザー、すなわち会員は、上記処理で通知されたユーザーＩＤとパスワードを用いてシステムにログインすることにより、本実施の形態における動画配信システム３００を利用することが可能となる。
【００２９】
有料会員は、さらに上述した会員情報で指定した決済方法により、あらかじめ動画視聴用のポイント（以下、「視聴ポイント」と呼ぶ）を購入してチャージを行っておくことにより、無料動画に加えて、有料動画の視聴も可能となる。有料会員は、例えば、１０００円分、２０００円分などといった一定額の視聴ポイントを事前にチャージしておくことができる。視聴ポイントは、例えば１円当たり１ポイントがチャージされ、有料動画を視聴する度に、該視聴ポイントからあらかじめ設定されたポイント数が減算される。有料会員が所有する視聴ポイントは、例えば上述した会員ＤＢ内でユーザーＩＤに関連付けて記録されて管理される。
【００３０】
本実施の形態では、有料会費は、自身が有する視聴ポイントを利用して会費を支払うものとする。例えば、視聴ポイントを１ポイント１円に換算し、有料会員は、３００ポイントの視聴ポイントを有していれば、その視聴ポイントを用いて１か月分の会費（３００円）を支払うことができる。
【００３１】
本実施の形態では、有料会員に対しては、一定期間内、例えば１か月内に、所定数、例えば３０の有料動画を視聴ポイントを消費することなしに視聴することを許可する。すなわち、有料会員は、月々の会費を支払えば、一月当たり、所定数の有料動画を無料で視聴することができる。この有料会員の無料視聴分を管理するために、有料会員による無料視聴回数をカウントするためのカウント値が、会員ＤＢ内でユーザーＩＤに関連付けて記録される。このカウント値は、有料会員が動画を視聴するごとに１ずつカウントアップされ、月に一度、あらかじめ設定されたタイミングで０にリセットされる。
【００３２】
また、有料動画の投稿者である有料会員には、投稿した有料動画が視聴される度にあらかじめ設定されたポイント数の投稿ポイントが加算される。有料会員が所有する投稿ポイントは、例えば上述した会員ＤＢ内でユーザーＩＤに関連付けて記録されて管理される。本実施の形態では、有料会員は、自身が有する投稿ポイントのポイント数に応じたリベートを受け取ることができる。例えば、投稿ポイントを１ポイント１円に換算し、有料会員は、自身が有している投稿ポイントの中から、リベートとして受け取りたいポイント数を指定した上で、会員登録時に指定した口座に振り込むように依頼することができる。さらに、有料会員は、自身が有する投稿ポイントを視聴ポイントに振り替えることもできる。例えば、投稿ポイントと視聴ポイントの交換比率は１：１とし、有料会員は、自身が有している投稿ポイントの中から、所定ポイント数を指定して視聴ポイントに振り替えるよう指示することができる。
【００３３】
本実施の形態では、有料会員が有料動画を視聴する度に、該有料会員が有する視聴ポイントから減算されるポイント数（以下、「消費ポイント数」と呼ぶ）と、有料会員が有料動画を視聴する度に、その動画データの投稿者である有料会員が有する投稿ポイントに加算されるポイント数（以下、「獲得ポイント数」と呼ぶ）は、動画データの過去の視聴回数に応じて設定される。なお、無料動画の視聴時には、消費ポイント数、獲得ポイント数ともに０ポイントとなる。
【００３４】
図６は、動画データの過去の視聴回数に応じて設定された消費ポイント数と獲得ポイント数の一例を示す図である。図６に示す例では、動画データの過去の視聴回数に応じて５段階で消費ポイント数と獲得ポイント数が設定されている。例えば、ある有料会員が視聴した有料動画の過去の視聴回数が７０００回である場合には、消費ポイントは２０ポイント、獲得ポイントは１０ポイントとなる。この動画データの過去の視聴回数と、消費ポイント数および獲得ポイント数との関係を示すデータは、ＨＤＤ３１４内のポイント設定ＤＢに記録されるものとする。なお、本実施の形態では、図６に示すように、獲得ポイント数は、消費ポイント数に所定の割合、（図６に示す例では５０％）を乗じたポイント数が設定されている。
【００３５】
本実施の形態では、動画データが視聴されるごとにその動画の過去の視聴回数に応じた消費ポイントと獲得ポイントを算出するために、制御装置３１３は、動画データの視聴回数を記録しておく必要がある。例えば、制御装置３１３は、動画データが投稿されたときに、各動画データに対して、動画データを一意に特定するための動画ＩＤを付与し、ＨＤＤ３１４内の動画管理ＤＢ内で、該動画ＩＤに関連付けて、その動画データの視聴回数を記録しておく。すなわち、制御装置３１３は、動画データが１回視聴されるごとに、動画管理ＤＢ内のその動画データに関連付けて記録されている視聴回数を示す数値に１を加算してカウントアップする。
【００３６】
図７は、本実施の形態における動画投稿受付処理の流れを示すフローチャートである。本実施の形態では、投稿者である会員（有料会員または無料会員）は、投稿者端末１００から動画公開用サーバー３１０にアクセスして動画配信システム３００にログインした後に、システム側で用意されている投稿画面上で投稿したい動画データを選択してアップロードすることにより、動画データを投稿することができる。図７に示す処理は、投稿者端末１００から動画データのアップロードがあったことを検出したときに起動するプログラムとして、制御装置３１３によって実行される。
【００３７】
ステップＳ１１０において、制御装置３１３は、投稿者端末１００からアップロードされた動画データを受信する。投稿者は、動画データをアップロードする際に、その動画のタイトルを指定することができる。また投稿者が有料会員である場合には、該投稿者は、その動画データを有料動画とするか無料動画とするかを指定することができる。制御装置３１３は、投稿者を特定するためのユーザーＩＤや投稿された動画データとともに、動画のタイトルや、有料動画か無料動画かを特定するための動画情報も受信する。その後、ステップＳ１２０へ進む。
【００３８】
ステップＳ１２０では、制御装置３１３は、投稿者端末１００から受信した動画データを動画変換用サーバー３２０へ送信する。動画変換用サーバー３２０では、制御装置３２３は、上述したように、動画データをあらかじめ定められた表示解像度やファイル形式に変換して、配信用の動画データを生成する。生成された動画データは、動画記録用サーバー３３０へ送信される。
【００３９】
その後、ステップＳ１３０へ進み、制御装置３１３は、投稿された動画データに対して、該動画データを一意に特定するための動画ＩＤを発行する。そして、制御装置３１３は、発行した動画ＩＤを動画記録用サーバー３３０へ送信する。動画記録用サーバー３３０では、制御装置３３３は、動画ＩＤと動画データとを関連付けて、ＨＤＤ３３４に記録する。その後、ステップＳ１４０へ進む。
【００４０】
ステップＳ１４０では、制御装置３１３は、ステップＳ１３０で発行した動画ＩＤと、動画データの投稿者のユーザーＩＤとを関連付けて上述した動画管理ＤＢに記録する。このとき、上述した動画情報に基づいて、その動画のタイトルや、有料動画か無料動画かを特定するための情報も動画ＩＤに関連付けて記録される。これにより、動画記録用サーバー３３０に記録されている動画データの投稿者、タイトル、有料動画か無料動画かを特定することが可能となる。その後、処理を終了する。
【００４１】
このように、投稿者によって動画データが投稿され、動画記録用サーバー３３０に記録されると、視聴者は、その動画データを視聴することが可能となる。本実施の形態では、有料会員または無料会員は、視聴者端末２００から動画公開用サーバー３１０にアクセスしてログインを行った後に、モニタに表示されるサイト上で、視聴したい動画データを選択することができる。また、非会員は、ログインを行うことなしに、モニタに表示されるサイト上で、視聴したい動画データを選択することができる。有料会員、無料会員、非会員といった視聴者は、例えば、動画のタイトルや投稿者のユーザーＩＤ等を用いて動画データを検索することができ、検索の結果一覧表示された動画データの中から、視聴したい動画データを選択することにより、特定の動画データの視聴を要求することができる。
【００４２】
図８は、本実施の形態における動画配信処理の流れを示すフローチャートである。図８に示す処理は、視聴者によって視聴対象の動画データが選択されて、その動画データの視聴が要求されたときに起動するプログラムとして、制御装置３１３によって実行される。動画データの視聴要求に際しては、視聴者端末２００からは、視聴者のユーザーＩＤ（視聴者が有料会員または無料会員の場合のみ）、視聴を要求する動画データの動画ＩＤが通知される。
【００４３】
ステップＳ２１０において、制御装置３１３は、視聴者端末２００からの視聴要求に基づいて、視聴者が視聴を希望している動画データの動画ＩＤを特定する。その後、ステップＳ２２０へ進む。
【００４４】
ステップＳ２２０では、制御装置３１３は、ＨＤＤ３１４内の動画管理ＤＢを参照し、ステップＳ２１０で特定した動画ＩＤに基づいて、視聴要求がされた動画データが有料動画であるか否かを判断する。ステップＳ２２０で否定判断した場合、すなわち無料動画であると判断した場合には、後述するステップＳ３１０へ進む。これに対して、ステップＳ２２０で肯定判断した場合には、ステップＳ２３０へ進む。
【００４５】
ステップＳ２３０では、制御装置３１３は、会員ＤＢを参照して、動画データの視聴を要求している視聴者が有料会員であるか否かを判断する。ステップＳ２３０で否定判断した場合には、ステップＳ２８０へ進み、制御装置３１３は、視聴者が有料会員でないことから有料動画を視聴できない旨を通知するメッセージを視聴者端末２００へ出力して、処理を終了する。一方、ステップＳ２３０で肯定判断した場合には、ステップＳ２４０へ進む。
【００４６】
ステップＳ２４０では、制御装置３１３は、ＨＤＤ３１４内の会員ＤＢを参照して、視聴者である有料会員のユーザーＩＤに関連付けて記録されている無料視聴回数をカウントするためのカウント値を取得し、該カウント値が、有料会員に対して許可されている無料視聴数の範囲内であるか否かを判断する。ステップＳ２４０で肯定判断した場合には、ステップＳ２５０へ進み、制御装置３１３は、会員ＤＢ内で視聴者である有料会員のユーザーＩＤに関連付けて記録されている無料視聴回数をカウントするためのカウント値に１を加算して更新し、後述するステップＳ３１０へ進む。これに対して、ステップＳ２４０で否定判断した場合には、ステップＳ２６０へ進む。
【００４７】
ステップＳ２６０では、制御装置３１３は、視聴者である有料会員が有している視聴ポイントのポイント数、今回の視聴により視聴ポイントから減算される消費ポイント数、視聴される動画データの投稿者が有する投稿ポイントのポイント数、および今回の視聴により投稿ポイントに加算される獲得ポイント数を特定する。具体的には、制御装置３１３は、ＨＤＤ３１４内の会員ＤＢを参照して、視聴者である有料会員のユーザーＩＤに関連付けて記録されている、該視聴者である有料会員が有する視聴ポイントのポイント数を特定する。制御装置３１３は、ＨＤＤ３１４内の動画管理ＤＢを参照して、視聴が要求された動画データの動画ＩＤに関連付けられて記録されている、その動画データの投稿者のユーザーＩＤと、その動画データの過去の視聴回数とを特定する。そして、ポイント設定ＤＢを参照して、特定した過去の視聴回数に応じた消費ポイント数と獲得ポイント数を特定する。さらに、制御装置３１３は、ＨＤＤ３１４内の会員ＤＢを参照して、特定した投稿者のユーザーＩＤに関連付けて記録されている、該投稿者が有する投稿ポイントのポイント数を特定する。
【００４８】
その後、ステップＳ２７０へ進み、制御装置３１３は、ステップＳ２６０で特定した視聴ポイント数と消費ポイント数を比較して、視聴ポイント数が消費ポイント数以上であるか否かを判断する。ステップＳ２７０で否定判断した場合には、ステップＳ２８０へ進み、制御装置３１３は、視聴者である有料会員が有する視聴ポイントが、動画データを視聴するために必要なポイントに満たないことから有料動画を視聴できない旨を通知するメッセージを視聴者端末２００へ出力して、処理を終了する。一方、ステップＳ２７０で肯定判断した場合には、ステップＳ２９０へ進む。
【００４９】
ステップＳ２９０では、制御装置３１３は、ステップＳ２６０で特定した視聴ポイント数から消費ポイント数を減算した結果を用いて、会員ＤＢの視聴者である有料会員のユーザーＩＤに関連付けて記録されている視聴ポイント数を更新する。その後、ステップＳ３００へ進む。
【００５０】
ステップＳ３００では、制御装置３１３は、ステップＳ２６０で特定した投稿ポイント数に獲得ポイント数を加算した結果を用いて、会員ＤＢの投稿者のユーザーＩＤに関連付けて記録されている投稿ポイント数を更新する。その後、ステップＳ３１０へ進む。
【００５１】
ステップＳ３１０では、制御装置３１３は、視聴が要求されている動画データの動画ＩＤに基づいて、動画記録用サーバー３３０から視聴が要求されている動画データを読み出して取得する。その後、ステップＳ３２０へ進む。
【００５２】
ステップＳ３２０では、制御装置３１３は、ステップＳ３１０で取得した動画データを視聴要求があった視聴者用端末２００へ配信する。これによって、視聴者端末２００で動画データが再生される。その後、ステップＳ３３０へ進む。
【００５３】
ステップＳ３３０では、制御装置３１３は、動画管理ＤＢ内で、視聴された動画データの動画ＩＤに関連付けて記録されている視聴回数を示す数値に１を加算してカウントアップする。その後、処理を終了する。
【００５４】
次に、本実施の形態におけるポイント管理処理について説明する。図９は、本実施の形態におけるポイント管理処理の流れを示すフローチャートである。図９に示す処理は、動画公開用サーバー３１０の電源がオンされると起動するプログラムとして、制御装置３１３によって実行される。なお、図９に示す処理において、視聴者または投稿者であるユーザーは、投稿者端末１００または視聴者端末２００からインターネットを介して、操作または処理の実行指示を行う。
【００５５】
ステップＳ４１０において、制御装置３１３は、有料会員による決済に基づいて、上述した視聴ポイントが購入されることにより、視聴ポイントがチャージされたか否かを判断する。ステップＳ４１０で否定判断した場合には、後述するステップＳ４３０へ進む。これに対して、ステップＳ４１０で肯定判断した場合には、ステップＳ４２０へ進む。
【００５６】
ステップＳ４２０では、制御装置３１３は、有料会員からのチャージを受け付けたポイント数を、会員ＤＢ内でユーザーＩＤに関連付けて記録されている視聴ポイントのポイント数に加算して、ステップＳ４３０へ進む。
【００５７】
ステップＳ４３０では、制御装置３１３は、有料会員から投稿ポイントを視聴ポイントに振り替えるための振替指示があったか否かを判断する。本実施の形態では、投稿ポイントを有している有料会員は、後述するように、所有する投稿ポイントのポイント数に応じた金額を自身の口座に振り込むように指示をしたり、所有する投稿ポイントを視聴ポイントに振り替えてチャージすることにより、有料動画の視聴や会費の支払いに充てることが可能となっている。ステップＳ４３０で否定判断した場合には、後述するステップＳ４５０へ進む。これに対して、ステップＳ４３０で肯定判断した場合には、ステップＳ４４０へ進む。
【００５８】
ステップＳ４４０では、制御装置３１３は、会員ＤＢ内でポイントの振り替えを指示した会員のユーザーＩＤに関連付けて記録されている視聴ポイントから、有料会員によって指定された振替ポイント数を減算し、該振替ポイント数をその会員の投稿ポイントに加算することにより、投稿ポイントから視聴ポイントへの振り替えを行う。その後、ステップＳ４５０へ進む。
【００５９】
ステップＳ４５０では、制御装置３１３は、あらかじめ定められている会員からの会費の徴収タイミングになったか否かを判断する。本実施の形態では、上述したように、有料会員は、例えば、1か月あたり３００円の会費を納める必要があるものとし、毎月の会費の徴収日は、あらかじめ設定されているものとする。ステップＳ４５０で否定判断した場合には、後述するステップＳ５１０へ進む。これに対して、ステップＳ４５０で肯定判断した場合には、ステップＳ４６０へ進む。
【００６０】
ステップＳ４６０では、制御装置３１３は、各有料会員が所有する視聴ポイントのポイント数が、会費を支払うためのポイント数に足りているか否かを判断する。ステップＳ４６０で肯定判断した場合には、後述するステップＳ５００へ進む。これに対して、ステップＳ４６０で否定判断した場合には、ステップＳ４７０へ進む。
【００６１】
ステップＳ４７０では、制御装置３１３は、各有料会員が所有する投稿ポイントのポイント数が、会費を支払うためのポイント数に足りているか否かを判断する。ステップＳ４７０で否定判断した場合には、ステップＳ４８０へ進み、制御装置３１３は、有料会員が有するポイントからは会費を徴収することができないことを示すメッセージ、及び有料会費に対して支払いを促すためのメッセージを有料会員の端末（投稿者端末１００または視聴者端末２００）へ出力して、後述するステップＳ５１０へ進む。これに対して、ステップＳ４７０で肯定判断した場合には、ステップＳ４９０へ進む。
【００６２】
ステップＳ４９０では、制御装置３１３は、視聴ポイント数が会費として徴収するポイント数を満たすように、投稿ポイントを視聴ポイントに振り替える。具体的には、制御装置３１３は、会員ＤＢ内で会費を徴収する会員のユーザーＩＤに関連付けて記録されている投稿ポイントから、会費に相当するポイント数の振替ポイント数を減算し、該振替ポイント数をそのユーザーの視聴ポイントに加算することにより、ポイントの自動振り替えを行う。その後、ステップＳ５００へ進む。
【００６３】
ステップＳ５００では、制御装置３１３は、会員ＤＢ内で会費を徴収する会員のユーザーＩＤに関連付けて記録されている視聴ポイントから、会費に相当するポイント数、例えば３００ポイントを減算することにより、会費を徴収する。その後、ステップＳ５１０へ進む。
【００６４】
ステップＳ５１０では、制御装置３１３は、有料会員からリベートの支払い依頼がされたか否かを判断する。ステップＳ５１０で否定判断した場合には、後述するステップＳ５３０へ進む。これに対して、ステップＳ５１０で肯定判断した場合には、ステップＳ５２０へ進む。
【００６５】
ステップＳ５２０では、制御装置３１３は、会員ＤＢを参照して、リベートの支払いを要求している有料会員のユーザーＩＤに関連付けて記録されている口座情報を特定する。また、制御装置３１３は、会員によって指定されたポイント数に応じたリベート額を算出する。そして、制御装置３１３は、特定した口座情報に基づく送金先に、算出したリベート額の送金を行う。これにより、有料会員の口座には、リベートが振り込まれるので、有料会員は、自身が投稿した動画データが視聴されることにより得た投稿ポイントを現金化することが可能となる。また、制御装置３１３は、会員ＤＢ内でその有料会員に関連付けて記録されている投稿ポイントから、振込みを行った金額に相当するポイント数を減算する。その後、ステップＳ５３０へ進む。
【００６６】
ステップＳ５３０では、制御装置３１３は、動画公開用サーバー３１０の電源がオフされたか否かを判断する。ステップＳ５３０で否定判断した場合には、ステップＳ４１０へ戻る。これに対して、ステップＳ５３０で肯定判断した場合には、処理を終了する。
【００６７】
以上説明した本実施の形態によれば、以下のような作用効果を得ることができる。
（１）動画配信システム３００では、動画公開用サーバー３１０の制御装置３１３は、投稿者であるユーザーが操作する投稿者端末１００からの動画データの投稿を受け付ける。投稿された動画データは、動画変換用サーバー３２０で配信用の動画データに変換された後、動画記録用サーバー３３０のＨＤＤ３３４に、ユーザーＩＤに関連付けて記録される。制御装置３１３は、視聴者であるユーザーが操作する視聴者端末２００からの要求に応じて、動画記録用サーバー３３０のＨＤＤ３３４に記録されている動画データを配信する。これにより、視聴者端末２００では動画データが再生されるので、視聴者は動画データを視聴できる。そして、動画データが視聴されたときに、視聴者を特定するためのユーザーＩＤに関連付けられて会員ＤＢに記録されている視聴ポイントから、視聴された動画データに応じた消費ポイント数を減算するとともに、視聴された動画データの投稿者のユーザーＩＤに関連付けられて会員ＤＢに記録されている投稿ポイントに、視聴された動画データに応じた獲得ポイント数を加算するようにした。これによって、投稿者は、自身が投稿した動画データが視聴されたときに獲得ポイントが付与されるため、それを動画の制作、及び投稿の励みとすることができ、投稿数の増加、およびシステムの利用活性化に繋げることができる。
【００６８】
（２）一人の有料会員が視聴ポイントと投稿ポイントの両方を有する場合には、会員ＤＢ内で視聴ポイントと投稿ポイントを区別して、ユーザーＩＤに関連付けて記録するようにした。これによって、動画の視聴時に、視聴者である有料会員が消費する視聴ポイントと、投稿者である有料会員が獲得する投稿ポイントとを区別して管理することができる。
【００６９】
（３）消費ポイント数は、動画データの過去の視聴回数に応じて設定されており、制御装置３１３は、動画データが視聴されたときに、視聴された動画データに対して設定されている消費ポイント数を特定し、会員ＤＢ内で視聴者のユーザーＩＤに記録されている視聴ポイントのポイント数から、特定した消費ポイント数を減算して更新するようにした。これによって、過去に数多く視聴されている人気が高い動画データほど消費ポイント数を高く設定することができるので、人気に応じた消費ポイント数の設定が可能となる。
【００７０】
（４）獲得ポイント数は、動画データの過去の視聴回数に応じて設定されており、制御装置３１３は、動画データが視聴されたときに、視聴された動画データに対して設定されている獲得ポイント数を特定し、会員ＤＢ内で視聴者のユーザーＩＤに記録されている投稿ポイントのポイント数に、特定した獲得ポイント数を加算して更新するようにした。これによって、過去に数多く視聴されている人気が高い動画データほど獲得ポイント数を高く設定することができるので、人気に応じた獲得ポイント数の設定が可能となる。
【００７１】
（５）制御装置３１３は、有料会員からの視聴ポイントのチャージを受け付け、チャージされたポイント数を、会員ＤＢ内でユーザーＩＤに関連付けて記録されている視聴ポイントのポイント数に加算するようにした。これによって、有料会員は、動画を視聴するための視聴ポイントを任意のタイミングでチャージすることができる。
【００７２】
（６）制御装置３１３は、会員ＤＢ内でポイントの振り替えを指示した有料会員のユーザーＩＤに関連付けて記録されている投稿ポイントから、ユーザーによって指定された振替ポイント数を減算し、該振替ポイント数をそのユーザーの視聴ポイントに加算することにより、ポイントの振り替えを行うようにした。このように、有料会員が獲得した獲得ポイントを振り替えて視聴ポイントにチャージできるようにすることで、有料会員の利便性を向上させることができる。
【００７３】
（７）制御装置３１３は、有料会員による決済に基づいて視聴ポイントのチャージを受け付けるようにした。これによって、投稿ポイントを有さない有料会員も視聴ポイントをチャージできるので、視聴がメインの有料会員も動画配信システム３００を利用することができる。
【００７４】
（８）動画データは、視聴ポイントを消費せずに視聴できる無料動画と、視聴ポイントを消費して視聴可能な有料動画とを含み、有料会員には、有料動画と無料動画の投稿および視聴を許可し、無料会員には、無料動画の投稿および視聴を許可し、非会員には、無料動画の視聴のみを許可するようにした。これによって、ユーザーは視聴したい動画の種類に応じて、有料会員、無料会員、非会員のいずれかを任意に選択することができる。
【００７５】
（９）有料会員に対しては、一定期間内に所定数の有料動画を消費ポイントを消費せずに視聴を許可するようにした。これによって、有料会員は、会費を支払うだけで所定数の有料動画を無料で視聴することができるので、お得感を出して有料会員の会員登録を促進することができる。
【００７６】
（１０）有料会員の会費は、視聴ポイントから会費相当分を減算することにより徴収できるようにした。これによって、視聴ポイントを有している有料会員は、視聴ポイントのチャージと会費の支払いを区別して行う必要がないため、有料会員の利便性を向上させることができる。
【００７７】
（１１）制御装置３１３は、有料会員が有する視聴ポイント数が、会費として聴取するポイント数に満たない場合であって、該有料会員が投稿ポイントを有している場合には、視聴ポイント数が会費として徴収するポイント数を満たすように、投稿ポイントを視聴ポイントに振り替えた後に、視聴ポイントから会費を徴収するようにした。これによって、投稿ポイントを有している有料会員は、視聴ポイントのチャージを忘れていた場合でも、自動的に会費の支払いを行うことができるので、有料会員の利便性をさらに向上させることができる。
【００７８】
（１２）制御装置３１３は、会員ＤＢを参照して、リベートの支払いを要求している有料会員のユーザーＩＤに関連付けて記録されている口座情報を特定する。また、制御装置３１３は、有料会員によって指定されたポイント数に応じたリベート額を算出する。そして、制御装置３１３は、特定した口座情報に基づく送金先に、算出したリベート額の送金を行うようにした。これにより、有料会員の口座には、リベートが振り込まれるので、有料会員は、自身が投稿した動画データが視聴されることにより得た投稿ポイントを現金化することが可能となる。これは、例えば、新進の映像クリエイター等の支援に結び付けることができる。
【００７９】
―変形例―
なお、上述した実施の形態の動画配信システムは、以下のように変形することもできる。
（１）上述した実施の形態では、有料会員は、月々の会費を支払えば、一月当たり、所定数の有料動画を無料で視聴することができる例について説明した。しかしながら、有料動画の閲覧を全て有料とするようにしてもよい。
【００８０】
（２）上述した実施の形態では、有料動画を視聴すると視聴ポイントが消費される例について説明した。しかしながら、有料会員が一度視聴した有料動画については、最初の視聴から所定時間、例えば７２時間は、視聴ポイントを消費することなく再視聴ができるようにしてもよい。これにより有料会員は、一度視聴した有料動画を、一定時間の間は費用負担なしで再視聴することができる。
【００８１】
（３）上述した実施の形態では、有料動画を視聴すると視聴ポイントが消費される例について説明した。しかしながら、有料動画の投稿者は、動画データの登録時にサンプル視聴を許可するか否かを任意に設定することができるようにしてもよい。サンプル視聴が許可された動画データの場合、視聴者である有料会員は、動画データの全再生時間のうちの一定時間、例えば１５秒間は、その動画データを視聴ポイントを消費することなしに視聴することが許可される。このようにすると、視聴者にとっては、一定時間無料で視聴した後に、続きを視聴するかどうかを決めることができるというメリットがある。一方、投稿者にとっては、一定時間無料で視聴させて、その動画データに興味を持ってもらうことができるというメリットがある。また、サンプル視聴が許可された動画データの場合、無料会員や非会員に対してもサンプル視聴を許可するようにしてもよい。このとき、サンプル視聴が行われた回数もその動画データの視聴回数に加算するようにしてもよい。
【００８２】
（４）上述した実施の形態では、消費ポイント数と投稿ポイント数は、図６に示したように、視聴された動画の過去の視聴回数に応じて設定される例について説明した。しかしながら、消費ポイント数は、図６に示した設定値を最大値として投稿者が任意に設定できるようにしてもよい。例えば、動画データの過去の視聴回数が６０００回である場合には、投稿者は、その動画データに関して、設定値である２０ポイントを最大値とし、０ポイントから２０ポイントの間で任意に消費ポイント数を指定することができるようにしてもよい。この場合、制御装置３１３は、投稿者によって消費ポイント数が変更された場合には、動画管理ＤＢ内で、動画ＩＤと新たに設定された消費ポイント数を関連付けて記録すればよい。これによって、投稿者は、自身が投稿した動画データの過去の視聴回数に基づいた最大値以内で、好みの消費ポイント数を設定することができる。また、この場合、視聴時に投稿者が獲得する獲得ポイント数は、新たに設定された消費ポイント数に所定の割合、例えば５０％を乗じたポイント数とすればよい。これによって、獲得ポイントの設定を自動化することができる。
【００８３】
（５）上述した実施の形態では、投稿者端末１００から投稿された動画データは、動画変換用サーバー３２０で配信用の動画データに変換された後、動画記録用サーバー３３０のＨＤＤ３３４に記録されるようにした。このとき、各会員ごとに、動画記録用サーバー３３０のＨＤＤ３３４に動画データを記録することができるディスク容量の上限を設定するようにしてもよい。また、上述した実施の形態では、会費は一定額である例について説明したが、会費の額を複数設定し、その金額に応じて動画データを記録することができるディスク容量の上限を変更するようにしてもよい。
【００８４】
（６）上述した実施の形態では、制御装置３１３は、各有料会員が所有する視聴ポイントのポイント数が、会費を支払うためのポイント数に足りていない場合であって、投稿ポイントのポイント数が足りている場合は、投稿ポイントを視聴ポイントに振り替えた後に、視聴ポイントから会費を徴収する例について説明した。しかしながら、制御装置３１３は、各有料会員が所有する視聴ポイントのポイント数が、会費を支払うためのポイント数に足りていない場合であって、投稿ポイントのポイント数が足りている場合には、投稿ポイントから直接会費を徴収するようにしてもよい。
【００８５】
（７）上述した実施の形態では、視聴ポイントは、有料会員によるチャージまたは投稿ポイントからの振り替えにより加算される例について説明した。この場合、制御装置３１３は、例えば、視聴ポイントのポイント数が所定ポイント未満、例えば１か月の会費に相当する３００ポイント未満になったときに、有料会員に対してチャージを促すようにしてもよい。あるいは、制御装置３１３は、視聴ポイントのポイント数が所定ポイント未満になったときに、会員ＤＢに登録されている決済情報に基づいて、オートチャージを行うようにしても良い。オートチャージを行うか否か、及びオートチャージを行う場合の金額は、有料会員が任意に設定できることが好ましい。
【００８６】
（８）上述した実施の形態では、制御装置３１３は、有料会員から会費を徴収することができない場合は、有料会員が有するポイントからは会費を支払うことができないことを示すメッセージ、及び会費の支払いを促すためのメッセージを会員の端末（投稿者端末１００または視聴者端末２００）へ出力して通知する例について説明した。この場合、継続して所定の期間、例えば１８０日間、同じ会員から会費を徴収できない状態が続いた場合には、制御装置３１３は、当該有料会員の会員資格を無効にして、無料会員に変更したり、自動退会させて非会員とするようにしてもよい。この場合、制御装置３１３は、会費の支払いが滞っている有料会員に対して、有料会員の会員資格を無効にする日前の所定のタイミング、例えば９０日前、３０日前、６日前、前日の少なくとも１つのタイミングで、有料会員の会員資格が無効になる旨をメール等で通知するようにしてもよい。
【００８７】
（９）上述した実施の形態では、動画配信システム３００は、動画公開用サーバー３１０と、動画変換用サーバー３２０と、動画記録用サーバー３３０とを備えている例について説明した。しかしながら、これらのうちの１つのサーバーが他のサーバーの機能を備えるようにしても良い。例えば、動画公開用サーバー３１０が、動画変換用サーバー３２０と動画記録用サーバー３３０の機能を備えるようにして、動画配信システム３００は、動画公開用サーバー３１０のみによって構成されるようにしてもよい。上述した実施の形態のように、３つのサーバーで処理を分散させれば、各サーバーの処理負荷を低減させるという効果を得ることができる。一方、１台のサーバーに全ての機能をまとめれば、記録するプログラムや情報を１か所にまとめることができるため、システムのメンテナンス性が向上する。
【００８８】
（１０）上述した実施の形態では、視聴者は視聴者端末２００上で動画データを視聴できる例について説明した。この場合、視聴者は、視聴した動画データに対してコメントを付したり、動画データを評価できるようにしてもよい。視聴者により付されたコメントは、動画データに関連付けて記録され、他の視聴者や投稿者が閲覧できるようにすればよい。また、評価は、例えば５段階で評価され、その評価結果も動画データに関連付けて記録され、他の視聴者や投稿者が閲覧できるようにすればよい。この場合、コメントの投稿は、会員登録を行った有料会員と無料会員のみが行えるようにし、非会員はコメントの投稿を行えないようにしてもよい。
【００８９】
（１１）上述した実施の形態では、図６に示したように、動画の過去の視聴回数に応じて消費ポイント数と投稿ポイント数とが設定される例について説明した。しかしながら、制御装置３１３は、動画の過去の視聴回数に基づいて、動画データのクオリティレベルを判定するようにしてもよい。動画データのクオリティレベルは、過去の視聴回数が多いほど高いと判定され、星の数によって表されるものとする。例えば、図６の例では、過去の視聴回数が０〜５０００である動画データに対しては、星１つでクオリティレベルが表される。過去の視聴回数が５００１〜１００００である動画データに対しては、星２つでクオリティレベルが表される。過去の視聴回数が１０００１〜１０００００である動画データに対しては、星３つでクオリティレベルが表される。過去の視聴回数が１００００１〜５０００００である動画データに対しては、星４つでクオリティレベルが表される。過去の視聴回数が５００００１以上である動画データに対しては、星５つでクオリティレベルが表される。この動画データのクオリティレベルを示す星を、ユーザーが動画データを検索したときに表示される検索結果において、各動画データに対応付けて表示するようにすれば、ユーザーは、検索結果として表示された動画データのクオリティレベルを確認しながら、視聴する動画データを選択することが可能となる。
【００９０】
（１２）上述した実施の形態では、有料会員は、あらかじめ視聴ポイントをチャージしておき、自身が有する視聴ポイントを使用して有料動画の視聴や会費の支払いを行うことができる例について説明した。この場合、制御装置３１３は、有料会員によってチャージされた視聴ポイントを、チャージの日から所定日後、例えば１８０日後に消滅させるようにしてもよい。例えば、有料会員が事前に５０００円分の視聴ポイントをチャージし、チャージ日から１８０日後にその内の１０００円分の視聴ポイントが残っている場合には、制御装置３１３は、その１０００円分の視聴ポイントを消滅させて無効にするようにしてもよい。
【００９１】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【００９２】
１０  動画公開システム、１００  投稿者用端末、２００  視聴者用端末、３００  動画配信システム、３１０  動画公開用サーバー、３２０  動画変換用サーバー、３３０  動画記録用サーバー、３１１、３２１、３３１  操作部材、３１２、３２２、３３２  接続ＩＦ、３１３、３２３、３３３  制御装置、３１４，３２４，３３４  ＨＤＤ、３１５、３２５、３３５  モニタ
【図１】
2013157784.tif 000003
【図２】
2013157784.tif 000004
【図３】
2013157784.tif 000005
【図４】
2013157784.tif 000006
【図５】
2013157784.tif 000007
【図６】
2013157784.tif 000008
【図７】
2013157784.tif 000009
【図８】
2013157784.tif 000010
【図９】
2013157784.tif 000011